(57)【要約】      （修正有）【課題】知的労働に適した斬新な家具装置を提供する。【解決手段】家具装置は、椅子ユニット５と中間ユニット１５とから成っている。椅子ユニット５は、座１と背もたれ２と囲い枠４とを有しており、全体として、手前に向けて広幅の台形状になっている。囲い枠４は、サイドパネル６とバックパネル７とを有する。サイドパネル６には切り開き部が形成されて、切り開き部に透光性の遮蔽板を昇降可能に装着している。中間ユニット１５にはテーブル板１８を取り付けており、椅子ユニット５に腰掛けた人は、テーブル板１８を使用してノートパソコン操作のような執務を行える。家具装置は、オープン性やクローズド性を考慮して、複数個をジグザグ状等の様々な態様にレイアウトできる。これにより、最適なワーキング環境をできる。【選択図】図４
2020127751.tif 000002
【特許請求の範囲】
【請求項１】
複数の椅子ユニットが左右に連結されている構成であって、
前記椅子ユニットは、座及び背もたれと、これらを左右外側と後ろの三方から囲う囲い枠とを有しており、前記囲い枠は、左右のサイドパネルとこれらに一体に連続したバックパネルとを有していて、左右サイドパネルの間隔が着座した人の前方に向けて広がっており、このため、前記椅子ユニットは、全体として、平面視で手前に向けて広がる台形状に形成されており、
隣り合った椅子ユニットは、平面視で囲い枠の開口方向を逆向きにした姿勢で配置されており、隣り合った囲い枠のサイドパネルが直列状に並ぶように配置されている、
家具装置。
【発明の詳細な説明】
【技術分野】
【０００１】
本願発明は、椅子ユニット、複数の椅子ユニットが連結されて構成された家具装置、及び、椅子ユニット（及び家具装置）に使用する中間ユニットに関するものである。
【背景技術】
【０００２】
従来、オフィスでの執務用家具としては一般に机と椅子がセットで使用されており、例えば、一人用又は複数人用の机を左右に並べて、多数人が一列に並んで執務を行うスタイルが多かった。机の列を背中合わせに配置することもよく行われている。これらの伝統的なワーキングスタイルでは、特定の人が特定の席を使用するという固定アドレス方式が一般的である。
【０００３】
しかし、近年、オフィスでのワーキングスタイルが大きく変貌しつつある。例えば、特定の席を持たずに、好きな席について仕事をするフリーアドレス方式（ノンテリトアル方式）や、１人用に独立した席で執務するスタイル、或いは、複数人が使用できる席が固まっているグループワーキングスタイルなどである。
【０００４】
これらのワーキングスタイルの変化の背景の一つとして、作業ツールとしてのノートパソコンやタブレット端末などの情報機器の小型化がある。つまり、これらノートパソコンやタブレット端末は持ち運び自在であるため、特定の席で執務する必要性が無くなり、その結果、フリーアドレス方式が大きく進展している。
【０００５】
他の背景として、ワーカーの創作能力を引き出すための環境作りが進んだことが挙げられる。すなわち、ワーカーの創作能力を高めて知的生産性を上げるには、思索に集中できる環境やリラックスできる環境、或いは、同僚等と討議等して知的刺激を受けることが容易な環境が必要であり、そこで、席の独立化やグループ化が進展している。従って、作業の目的に応じて席を選択できるようにするのが好ましいと云える。
【０００６】
ワーカーの集中力やリラックス性との関係では、ワーカーを取り巻く環境のクローズド性とオープン性とのバランスが重要である。例えば、完全な個室であると、外からの刺激が薄れ過ぎて緊張感が無くなり、却って生産性が落ちてしまうことが多い。他方、広いフロアーに点在しているテーブルを使用して１人で執務する場合のように、過度にオープンな環境であると、他人の動きや会話で気が散ったり他人の視線が気になったりするため、思索に集中し難いのみならず、他人に遠慮してリラックスした姿勢（例えば背伸びや瞑想）も取りづらいと云える。
【０００７】
そこで、実際に提案されている家具（什器）に眼をやると、ソファを左右と後ろからパネルが囲ってクローズド性を高めた椅子ユニットとして、特許文献１，２がある。また、くつろぎつつノートパソコン操作のような作業を行えるようにソファにテーブル板を設けたものがあり、その例として、特許文献３には、座の下方に水平回動式のアームを設けて、アームの先端に立設した支柱にテーブル板を取り付けた構造が開示されている。
【先行技術文献】
【特許文献】
【０００８】
【特許文献１】特開２０１３−９４４０４号公報
【特許文献２】意匠登録第１４８２０２１号公報
【特許文献３】特開平１０−２１５９８０号公報
【発明の概要】
【発明が解決しようとする課題】
【０００９】
特許文献１，２は、椅子ユニットは手前だけに開口した状態になるため、クローズド性は高くなるが、執務用を目的にしたものではではなく、ノートパソコンの操作のような作業のためのテーブル板を備えていないため、オフィスに設置する執務用に転用することは難しいといえる。
【００１０】
他方、特許文献３は、ソファに腰掛けた人が普通の姿勢でテーブル板を使用できるため、作業の容易性という点では優れているが、オープン性が高すぎるため、これも、ワーカーが長時間に亙って作業を行う執務用には転用し難い。また、特許文献３では、アームが床面に沿って配置されているため、これが人の邪魔になるという厄介な問題もある。
【００１１】
つまり、椅子ユニットの単体として見た場合、クローズド性とオープン性、作業の容易性を考慮したものは見当たらないというのが現状である。
【００１２】
他方、机のような執務用家具は左右に並設することが多い。また、椅子についても、例えばパイプ椅子に見られるように左右に連結することは広く行われている。これら従来の家具の連結は、元々、使用者が同じ方向を向くということを前提にして行われており、従って、机にしても椅子にしても、左右に並んだものはみな方向を向くように姿勢が揃えられている。
【００１３】
しかし、一人用の執務家具の場合、知的生産性を高めるという点から見ると、ある程度のプライバシー確保が必要であり、従って、何らかの遮蔽手段を設けるのが好ましい。この要請に対する１つの対応として、例えば特許文献３のようなテーブル板付きの椅子ユニットを同じ姿勢で左右に並べつつ、左右の椅子ユニットの間に衝立のような仕切りを設けることが考えられるが、左右に隣り合った人の間隔（距離）は変わらないため、単に仕切りを設けただけでは、知的労働に集中できる好ましい環境には至りにくいと云える。
【００１４】
本願発明はこのような現状に鑑み成されたものであり、知的生産性の向上に貢献し得る執務用家具を提供せんとするものである。
【課題を解決するための手段】
【００１５】
本願発明は、各請求項で特定された様々な構成を含んでいる。このうち請求項１の発明は、複数の椅子ユニットが左右に連結されている家具装置に関するものであり、前記椅子ユニットは、座及び背もたれと、これらを左右外側と後ろの三方から囲う囲い枠とを有しており、前記囲い枠は、左右のサイドパネルとこれらに一体に連続したバックパネルとを有している、という基本構成になっている。
【００１６】
そして、上記基本構成において、左右サイドパネルの間隔が着座した人の前方に向けて広がっており、このため、前記椅子ユニットは、全体として、平面視で手前に向けて広がる台形状に形成されており、  隣り合った椅子ユニットは、平面視で囲い枠の開口方向を逆向きにした姿勢で配置されており、隣り合った囲い枠のサイドパネルが直列状に並ぶように配置されている。
【００１７】
囲い枠の高さは、サイドパネル及びバックパネルとも、着座した人の全体が隠れる程度の高さに設定するのが好ましい。あまり高いと採光性が低下したり圧迫感が高くなったりするので、高くても、一般成人の身長程度の高さに設定しておくのが好ましいと云える。なお、囲い枠は座及び背もたれの支持用脚として機能させてもよいし、単なる囲い機能だけを持たせてもよい。
【００１８】
請求項２の発明は、請求項１と同様に椅子ユニットを連結した家具装置に関するものであり、請求項１と同じ前提の構成において、隣り合った椅子ユニットは、平面視で囲い枠の開口方向を逆向きにした姿勢で配置されており、隣り合った囲い枠のサイドパネルが中間ユニットを介して連結されている。請求項２の展開例として、請求項３では、前記中間ユニットに、少なくともノートパソコンを載置できる程度の大きさのテーブル板を取り付けている。
【００１９】
請求項４の発明は請求項２又は３の展開例である。すわなち、請求項２又は３において、前記中間ユニットは、椅子ユニットに着座した人から見て、前方に向けて横幅が大きくなるように平面視台形に形成されている。
【００２０】
請求項５の発明は、請求項１〜４のうちのいずれかにおいて、前記囲い枠は着座した人が隠れる程度の高さであり、前記囲い枠のサイドパネルに、着座した人の肘程度の高さよりも上の部分を手前と上方に切除した状態の切り開き部が形成されており、前記切り開き部に、目隠し用の薄い遮蔽板を昇降可能に装着している。この請求項５において、遮蔽板は電動モータで昇降させることもできるし、手動によって引き上げたり押し下げたりすることも可能である。
【００２１】
請求項６の発明は椅子ユニットに関する発明であり、この発明は、まず、座及び背もたれと、これらを左右と後ろの三方から囲う囲い枠とを有していて、前記囲い枠は左右のサイドパネルとこれらに一体に連続したバックパネルとを有しており、着座した人の前方に向けて左右サイドパネルの間隔が広がるように全体として平面視台形状になっている、という基本構成になっている。
【００２２】
そして、上記の基本構成において、前記囲い枠は着座した人が隠れる程度の高さであり、前記囲い枠のサイドパネルに、着座した人の肘程度の高さよりも上の部分を手前と上方に切除した状態の切り開き部が形成されており、前記切り開き部に、目隠し用の薄い遮蔽板を昇降可能又は着脱自在に配置している。
【００２３】
請求項７の発明は、椅子ユニットに使用する中間ユニットを対象にしている。すなわち、座の横にサイドパネルを配置した椅子ユニットにおける前記サイドパネルの前方に配置される中間ユニットであって、前記椅子ユニットのサイドパネルに着脱自在であり、平面視で前後方向に長い形状で、かつ、少なくとも上面は小物を載せ得る程度の左右横幅を有している。
【発明の効果】
【００２４】
請求項１，２の発明では、着座した人を囲い枠で三方から囲われるため、周囲から区画されたクローズド性を有しているが、人は、椅子ユニットの開口部に向けて腰掛けるため、オープン性も備えていて、同僚等が話しかけやすい状態になっている。従って、クローズド性とオープン性とが調和して、集中しつつ外からの刺激も受け得る環境になっている。これにより、知的生産性の向上に貢献できる。
【００２５】
そして、隣り合った椅子ユニットが、向き（姿勢）を前後に変えた状態で配置されているため、隣り合った人は互いに逆方向に向いて執務を行うことになり、従って、同じ方向を向いた場合に比べて、隣り合った人の間隔を広げることができる。これにより、隣り合った人の距離感を拡大して、それぞれ執務に集中することができる。特に、隣り合った椅子ユニットのサイドパネルが中間ユニットを介して連結されていると、隣り合った人の間の間隔は多くなるため、独立性は強くなって、集中性を高めて作業に一層貢献できると云える。
【００２６】
また、多数の椅子ユニットを左右に連結した場合、多数の囲い枠がジグザグ状に連結され状態になるが、列の両端の椅子ユニットを除いた中間部の椅子ユニットでは、使用者の前方に、左右両隣のサイドパネルで挟まれた空間が形成されており、このため、各椅子ユニットの作業空間が奥行きを持った状態になっている。これにより、クローズド性を高めて、人の集中力を引出しやすくなると云える。
【００２７】
そして、椅子ユニットの囲い枠は、左右のサイドパネルが平面視で平行な姿勢も考えられるが、請求項１のように椅子ユニットを台形状に形成すると、椅子ユニットに腰掛けた人の前方の空間が前方に向けて左右に広がるため、開放感を高くできる（圧迫感を無くすことができる）。従って、人はゆったりとした雰囲気で作業を行うことができて、好適である。
【００２８】
更に、椅子ユニットを台形状に形成すると、座の手前にテーブル板を配置した状態であっても、椅子ユニットへの出入りの空間を広くとって、着座・離席を行いやすいという利点がある。つまり、テーブル板を右側又は左側に寄せて配置することにより、座の手前に出入り用の空間を空けることができるが、左右のサイドパネルが手前に向けて広がるように平面視で傾斜しているため、人の出入りのための空間は手前に向けて広がるのであり、これにより、着座・離席を行いやすくなって使い勝手がよい。
【００２９】
また、複数の家具装置をジグザグ状に配置した場合、列の両端を除いた中間部の家具装置の手前には、左右に隣り合った家具装置で挟まれた通路状の空間ができるが、椅子ユニットが台形状であると、家具装置で挟まれた空間は手前に向けて広がるため、中間部の家具装置への出入りも容易になる。
なお、座の前端の左右幅は、通常の椅子の座の１．５倍程度あるのが好ましい。
【００３０】
請求項２のように、左右に隣り合った椅子ユニットが中間ユニットを介して連結されていると、仕切られた空間の奥行きが深くなるため、クローズド性・プライバシー確保性は一層高くなる。また、中間ユニットに小物類等の物を載せることができて重宝であり、更に、中間ユニットの上面を、例えばマウスの操作面として使用することも可能になるため、作業環境の向上にも貢献できる。なお、中間ユニットを設けた場合でも、人は椅子ユニットの開口方向に向いた姿勢であるため、クローズド性が過剰になることはなくて、コミュニケーションが取りづらくなることはない。
【００３１】
執務用として使用する場合はテーブル板が不可欠であり、この場合、独立した小さいテーブルを座の前方に設置することも可能であるが、請求項３のように中間ユニットにテーブル板を設けると、仕切り機能を有する中間ユニットをテーブル板の取り付けに利用できるため、それだけ構造が簡単になる利点がある。また、テーブル板が常備されているため、テーブルを用意する手間は不要であり、従って、ユーザーフレンドリーであって、フリーアドレス方式のワーキングシステムにも好適である。
【００３２】
中間ユニットは、左右の側面が平行な平面長方形又は正方形であってもよいが、請求項１のように椅子ユニットが台形に形成されている場合、中間ユニットが正方形や正方形であると、中間ユニットの後端が使用者の足に当たりやすくなるおそれがある。さりとて、全体を細くすると、物品の載置面積が小さくなる。この点、請求項４のように中間ユニットを台形に形成すると、幅狭の部分が使用者の側に位置するようにして配置することにより、平面積をできるだけ確保しつつ、中間ユニットが使用者の邪魔になることを防止できる利点がある。
【００３３】
さて、テーブル板は一般に長方形又は正方形になっており、その一側面が中間ユニットの内側面は平行になるように配置すると見栄えが良いが、この場合、請求項１のように椅
子ユニットが台形に形成されていて中間ユニットが長方形又は正方形であると、テーブル板は、中間ユニットから離れるに従って座から離れるように平面視で傾いた姿勢になってしまい、すると、見た目が悪くなると共にノートパソコン等の使用もしにくくなることが懸念される。
【００３４】
これに対して、請求項４のように中間ユニットを台形に形成すると、椅子ユニットが台形に形成されている場合、中間ユニットの外側面は椅子ユニットおけるサイドパネルと一直線に揃えつつ、中間ユニットの内側面は、平面視で座の前面に対して直交した姿勢に揃えることができるため、テーブル板も、その前後端面を座の前面と平行な姿勢に配置することができる。従って、見栄えを良くすることができると共に、ノートパソコンの操作のような作業も行いやすくなると云える。
【００３５】
囲い枠は全体を単一構造に形成することも可能であるが、囲い枠の下半部は強度の点から一般に不透明の構造になることが多いため、全体が単一構造であると、使用者に圧迫感を与えやすくなったり、室内の照明の採光性が悪くなったりするおそれがある。
【００３６】
この点、請求項５のように、サイドパネルに切り開き部を形成したこれに遮蔽板を設けると、遮蔽板を、例えば不透明であるが透光性のある樹脂板で構成することにより、圧迫感を無くしたり採光性を高めたりすることができる。また、遮蔽板は昇降式であるため、独立して使用する場合は遮蔽板を下降させて、左右に連結する場合は高さを高くして隣りとの境界を仕切るというように、必要に応じて遮蔽板を使い分けることができる。従って、椅子ユニットの使用価値を向上できる。
【００３７】
椅子ユニットを請求項６の構成にすると、請求項１について述べたのと同じ効果が発揮される。また、サイドパネルに切り開き部を設けてこれに遮蔽板を昇降自在又は着脱自在に設けているため、請求項５と同様の効果を享受できる。
【００３８】
請求項７の構成を採用すると、請求項３で述べたのと同じ効果が発揮される。また、請求項７において中間ユニットを平面視台形に形成すると、請求項４で記載したのと同じ効果を享受できる。
【図面の簡単な説明】
【００３９】
【図１】第１実施形態を示す図で、（Ａ）は斜視図、（Ｂ）は平面図である。
【図２】（Ａ）はテーブル板の取り付け構造の例を示す斜視図、（Ｂ）は中間ユニットと椅子ユニットとの連結構造の一例を示す縦断側面図、（Ｃ）は遮蔽板の昇降ガイド構造を示す平断面図、（Ｂ）は遮蔽板を着脱式にした例の縦断正面図である。
【図３】各分図とも、複数の家具装置を左右に連結したレイアウト例を示す斜視図である。
【図４】図２に示したレイアウト例の平面図である。
【図５】（Ａ）は第２実施形態の斜視図、（Ｂ）は第３実施形態の斜視図である。
【図６】第４実施形態を示す図で、（Ａ）は単体の斜視図、（Ｂ）は左右に連結した状態の斜視図、（Ｂ）は左右に連結した状態の平面図である。
【図７】第５実施形態の平面図である。
【発明を実施するための形態】
【００４０】
次に、本願発明の実施形態を図面に基づいて説明する。本願では、方向を特定するため前後・左右の文言を使用するが、この前後・左右の方向は、椅子ユニットに普通に腰掛けた人の向きを基準にしている。正面視は、着座した人と相対向した方向から見た状態である。
【００４１】
(1).第１実施形態の構造
まず、図１〜４に示す第１実施形態を説明する。まず、主として図１，２を参照して構造を説明する。図１（Ａ）に示すように、本実施形態の家具装置は、座１と背もたれ２とヘッドレスト３を有しており、これらを左右と後ろとの三方から囲い枠４で囲うことにより、椅子ユニット５が構成されている。従って、囲い枠４は、座１の左右両側に配置されたサイドパネル６と、背もたれ２及びヘッドレスト３の後ろに位置したバックパネル７とから成っている。
【００４２】
左右のサイドパネル４は、手前に向けて間隔が広がるように、平面視ハ字の形態に配置されており、これに伴って、座１も手前に向けて横幅が広がるように平面視台形になっている。従って、椅子ユニット５は、平面視で手前に向けて広がった左右対称の台形状になっている。囲い枠４は、着座した人が横や後ろから見えない程度の高さになっている。また、サイドパネル６とバックパネル７とは一体に連続している。
【００４３】
座１は、例えば座板にクッション材を張った構造であり、左右のサイドパネル６に、ステー材やブラケットを介して取り付けられている。また、背もたれ２は、例えば背板にクッション材を張った構造であり、バックパネル７に取り付けられている。なお、背もたれ２がばね手段に抗して後傾するロッキング構造も採用可能である。この場合は、背もたれ２の後傾動に連動して座１を前進させることも可能である。
【００４４】
サイドパネル６及びバックパネル７は、木の単層板又は合板、或いは、ハニカム構造等の芯材の表裏に金属板を張った積層体など、様々な構造を採用できる。美粧のため、表面にクロスを張ることも可能である。
【００４５】
左右のサイドパネル６には、着座した人の肘程度の高さよりも上の部分を手前と上方に切除した状態の切り開き部８が形成されており、前記切り開き部８に、目隠し用の薄い遮蔽板（目隠し板）９を昇降可能に装着している。遮蔽板９は、例えば、乳白色のアクリル板のように、透光性はあるが不透明な樹脂板を採用できる。勿論、透光性のない金属板や樹脂板なども採用可能である。スクリーン状（膜状）の構造も採用可能である。
【００４６】
遮蔽板１０は、サイドパネル６に対して昇降自在に装着することができる。この場合は、図２（Ｃ）に示すように、サイドパネル６の内部に、遮蔽板９の前端縁と後端縁とを上下スライド可能にガイドする樋状のガイド体１０を内蔵したらよい。遮蔽板９は、自動車のパワーウインドーと同様の機構により、モータで昇降させることもできるし、手動で昇降させることもできる。
【００４７】
遮蔽板９をモータで昇降させる場合はボタン（スイッチ）が必要になるが、ボタンは、図１（Ａ）に示すように、サイドパネル６に設けたパネル１１に設けることができる。身体の接触を防止したい場合は、切り開き部８の上面に設けてもよい。遮蔽板９を手動で昇降させる場合は、サイドパネル６の内側面に設けたハンドルの回転によって昇降させる構造や、摩擦に抗して引き上げたり押し下げたりする構成を採用できる。ガイド部にボールキャッチのような弾性的な係脱機構を設けて、ラッチ体を弾性に抗して係合部に係脱させて昇降させる構造も採用可能である。
【００４８】
遮蔽板９は、着脱式とすることも可能である。その例を図２（Ｄ）に示している。すなわち、この場合は、遮蔽板９はその下端縁が受け部材１２に固定されていて、受け部材１２に設けた足体１３を、サイドパネル６に設けた穴１４に着脱自在に嵌め入れている。足体１３は、板状であってもよいし棒状であってもよい。
【００４９】
椅子ユニット５における片方のサイドパネル６の手前に、中間ユニット１５が配置され
ている。つまり、椅子ユニット５と中間ユニット１５とで複合した家具装置が構成されている。中間ユニット１５は、サイドパネル６における切り開き部８の下面と同じ高さになっている。中間ユニット１５は、小物類や筆記具、書類などを載置できる程度のある程度の左右横幅を有しており、外側面が一方のサイドパネル６の外面と同一面を成すような状態で配置している。また、着座した人が手首を載せ得る高さになっている。従って、マウスの操作も可能である。
【００５０】
また、中間ユニット１５は、手前に向けて左右横幅が大きくなる平面視台形に形成されているが、外側面をサイドパネル６の外面と同一面状に成した状態で、内側面は平面視で座１の前端と直交するように設定している。従って、外面だけでサイドパネル６と同じ角度で傾斜した左右非対称の台形になっている。
【００５１】
中間ユニット１５にも、遮蔽板１６を昇降自在又は着脱自在に装着している。中間ユニット１５の遮蔽板１６は、サイドパネル６の遮蔽板９と平面視で一直線に延びるように配置しており、中間ユニット１５の上面のうち遮蔽板１６よりも内側は、例えば人がマウス操作をできる程度の左右横幅になっている。遮蔽板１６をモータで昇降させる場合は、図１（Ａ）に示すように、中間ユニット１５の上に操作パネル１７を設けたらよい。
【００５２】
中間ユニット１５には、少なくともノートパソコンを載置できる程度の大きさのテーブル板１４が取り付けられている。テーブル板１８の取り付け構造としては、図１（Ａ）に一点鎖線で示すように、中間ユニット１５の下端部に前後回動可能に取り付けられた支柱１９を使用することができる。
【００５３】
この場合、支柱１９の下端に、床面に当接し得る後ろ向き部１９ａを有しており、後ろ向き部１９ａの後端部が，中間ユニット１５に左右横長の回動軸によって回動可能に連結されている。支柱１８の上端には図示しないブラケットが固定されており、テーブル板１８はブラケットに固定されている。支柱１９は、連結部の摩擦に抗して回動することができるが、ロック装置を設けて、ボタン操作やレバー操作によってロックを解除してから回動させることも可能である。
【００５４】
図２（Ａ）では、他の取り付け構造を示している。すなわちこの例では、中間ユニット１５の内側面に、水平状のレール２０を介してスライドブラケット２１を前後スライド可能に装着して、スライドブラケット２１にテーブル板１８を固定している。テーブル板１８は、スライドブラケット２１に対して前後回動可能に取り付けることも可能である。
【００５５】
中間ユニット１５は、サイドパネル６の前端部に連結されている。この連結構造の例を図２（Ｂ）に示している。すなわちこの例では、Ｈ形の連結具２２を利用しており、サイドパネル６の前端に設けた前板に２３に後ろ係合穴２４を形成して、この後ろ係合穴２４に連結具２２の後部係合爪２２ａを落とし込み係合させる一方、中間ユニット１５の後面板１５ａに前係合穴２５を形成して、この前係合穴２５の部位を、連結具２２の前係合爪２２ｂに上から嵌め込み係合させている。連結具２２は上下に複数化個所設けている。
【００５６】
Ｈ形の連結具２２を使用することに代えて、中間ユニット１５の後面に下向き鉤状の係合爪を上下複数個設けて、これを、サイドパネル６の前端に形成した係合穴に嵌め込むことも可能である。或いは、中間ユニット１５の後面とサイドパネル６の内側面とに重なる平面視Ｌ形のジョイント金具を用意して、このジョイント金具を両者にねじ止めするといったことも可能である。
【００５７】
(2).レイアウトの態様・まとめ
上記の椅子ユニット５は、左右に並設して家具装置を構成するとができる。そのレイア
ウト例を、図３，４で示している。図３（Ａ）及び図４（Ａ）に示す第１レイアウト例では、複数の椅子ユニット５を、開口方向を前後に変えて左右に並設している。中間ユニット１５は右サイドパネル６に連結しており、隣り合った椅子ユニット５の左サイドパネル６と中間ユニット１５とが、互いに左右に重なっている。この場合、左右に重なったサイドパネル６と中間ユニット１５は連結してもよいし、単に重ねただけであってもよい。
【００５８】
また、この第１レイアウト例では、右サイドパネル６に中間ユニット１５を連結した右使いタイプの椅子ユニット５と、左サイドパネル６に中間ユニット１５を連結した左使いタイプの椅子ユニット５とが、左右に交互に並んでいる。この第１レイアウト例では、家具装置の奥行き寸法は小さくなっている。従って、前後方向のスペースに余裕がない場合や、オープン性を重視したい場合には好適である。
【００５９】
図３（Ｂ）及び図４（Ｂ）に示す第２レイアウト例では、椅子ユニット５を、その開口方向を前後に交互に変えて左右に併設している点は第１レイアウト例と共通しているが、第１レイアウトとは異なって、隣り合った椅子ユニット５におけるサイドパネル６の端面間に中間ユニット１５が配置されている。
【００６０】
従って、家具装置の奥行きが大きくなっており、左右の両端の椅子ユニット５を除いて、中間部に位置した椅子ユニット５では、使用者の前方に、隣り合った２つの家具装置で囲われた通路状の大きな空間２６が空いている。また、隣り合った人の間隔は、第１レイアウト例の場合によりも広がっている。このため、椅子ユニット５のクローズド性、プライバシー確保機能が高くなっている。室のスペースに余裕がある場合や、ワーカーに一層集中しやすい環境を提供したい場合に好適である。
【００６１】
第１レイアウト例と第２レイアウト例との中間的なレイアウト例として、中間ユニット１５とサイドパネル６とを前後にずらして重ねるということも可能である。すなわち、中間ユニット１５の前後中途部にサイドパネル６の前端部が位置するようにして、左右の椅子ユニット５を配置することも可能である。
【００６２】
図３（Ｃ）及び図４（Ｃ）に示す第３レイアウト例では、同じ方向に開口する姿勢に配置した２つの椅子ユニット５と、前後逆向きに開口するように配置した椅子ユニット５とを組み合わせている。従って、同じ方向に対向した２つの椅子ユニット５を１セットとして、隣り合ったセットが互いに逆方向に開口している。
【００６３】
同じ方向に開口した左右２つの椅子ユニット５では、サイドパネル６と中間ユニット１５とが互いに重なっているが、これらは連結具等で連結してもよいし、単に重ねただけでもよい。また、隣り合って逆方向に開口した椅子ユニット５は、互いのサイドパネル６の前端面が当接しているが、これらについても、連結してもよいし、単に当接させただけでもよい。
【００６４】
椅子ユニット５は平面視台形に形成されているため、２つの椅子ユニット５を同じ方向に開口させて左右に並設しても、人が向く方向が平行でなくて互いに広がっている。このため、距離感が広がっている。また、同じ方向に開口した姿勢で左右に並設されていても、中間ユニット１５に設けた遮蔽板９によって各人のエリアが区画されているため、隣の人に気をとられることなく仕事に集中できる。また、遮蔽板９を下降させることにより、コミュニケーションを取りやすくできるという利点もある。
【００６５】
座１の前端の左右横幅（或いは、左右サントパネル６の前端間の間隔は、通常の椅子の座の１．５倍程度に設定している。そして、テーブル板１８は家具装置の左又は右の片側に寄せているため、テーブル板１８の横に人が出入りできる空間が空くが、椅子ユニット
４が台形に形成されていてサイドパネル６が手前に向かって外側にずれているため、出入りのための空間を大きくして、着座・離席が容易になる。
また、図４（Ａ）（Ｂ）のように、多数の複数の家具装置をジグザグ状に配置すると、中間部の家具装置の手前に左右の椅子ユニット４で挟まれた通路状の空間２６が空くが、椅子ユニット６が台形状であることにより、空間２６は手間に向けて間隔が広がるため、中間部に位置した椅子ユニット４が奥まった状態になっていても、椅子ユニット４への出入りを楽に行えるという利点がある。
【００６６】
さて、例えば、通常の一人用椅子は、使用者の最大横幅と同じ程度の左右横幅である。従って、左右のサイドパネルを備えた状態でテーブル板を設けていると、テーブル板を跳ね上げないと人は着座・離席することができない。しかし、これでは手間であり、長時間にわたって使い続ける執務用家具としては不適である。
【００６７】
これに対して本願実施形態では、座１は、通常の椅子の１．５倍程度の横幅があるため、テーブル板１８を右か左に寄せておくことにより、テーブル板１８の横に人が出入りできる空間を空けることができる。また、座１のテーブル板１８との間には、人が足を差し込みできる程度の間隔が空いている。従って、テーブル板１８を跳ね上げ式にしなくても、人は容易に着座・離席することができる。従って、テーブル板１８にノートパソコン等の物品を載せたままで、席を立ったり座ったりすることができる。このため、使い勝手が非常によくて、執務用の家具としても好適である。
【００６８】
しかも、本実施形態のように椅子ユニット５を平面視台形に形成すると、座１の上の空間が前広がりになるため、人は着座に際して身体を滑り込ませやすいと共に、離席に際しては身体を離しやすくなる。従って、着座・離席の容易性は一層高くなる。また、視覚面（心理面）からも、着座・離席が容易で使いやすい椅子部という印象も強い。なお、サイドパネル６は座１の手前に突出させることも可能であるが、この場合は、平面視台形に形成することによる着座・離席の容易性は一層顕著に表れると云える。
【００６９】
以上のように、本実施形態の椅子ユニット５は、その複数個を様々なレイアウトで配置して様々な形態の家具装置を形成できるため、各種の条件を考慮して最適なレイアウトを実現できる。また、椅子ユニット５の単体で見ても、例えば、全体として使用者の前方に向けて左右間隔が広がっているため、圧迫感がなくて作業を行いやすいと云える。また、中間ユニット１５の内側面は座１の前端に対して平面視で直交しているため、中間ユニット１５に使用者の足が当たることを防止できて、使い勝手がよい。また、長方形や正方形のテーブル板１８を、その前後縁が座１の前端と平行な姿勢に揃えることができるため、見た目もよい。
【００７０】
なお、明るい環境を望む場合は、オプション品として灯具を配置したらよい。この場合、灯具は、中間ユニット１５の上面に載置したり、遮蔽板９，１６に固定したりすることができる。遮蔽板９の上部等に有機ＥＬ板を配置して、面発光式の灯具を遮蔽板９，１６に一体的に設けることも可能である。
【００７１】
図示していないが、中間ユニット１５などに、電源用のコンセントや、携帯電話やスマートフォンやタブレット端末用の充電用ＵＳＢポート、或いは、ＬＡＮポートなどを設けることが可能である。更に、サイドパネル４，５の上面やフロントパネル７、或いはテーブル板９に、無線送電機を内蔵することも可能である。
【００７２】
電源用コンセントなどは、例えば、中間ユニット１５の上面や前後両面に前後対象に設けることも可能である。すると、例えば、２つの家具を向かい合わせに配置するにおいて、前後の家具の間に１台の中間ユニット１５を配置しても、向かった人がそれぞれ１つの
フロントパネル７から電源等をとることができる。すなわち、１つのフロントパネル７を、対向した人への給電手段として兼用できる。
【００７３】
フロントパネルの左右側面にそれぞれコンセント等の給電手段を設けると、図４（Ｂ）のように、２つの家具を逆向きの姿勢としつつ対向させずに左右にずらして配置した場合、２つの家具の間に１つだけ中間ユニット１５を配置しても、２つの家具において１つの中間ユニット１５を給電等の手段として共用することができる。
【００７４】
(3).他の実施形態
次に、図５以下に示す他の実施形態を説明する。図５（Ａ）に示す第２実施形態では、基本的には第１実施形態と同様であり、第１実施形態との相違点は、中間ユニット１５を内側に開口した袋構造に構成して、中間ユニット１５の天板の下面にブラケット２８を前後自在に装着して、ブラケット２８にテーブル板１８を固定している点である。この実施形態では，中間ユニット１５の内部を荷物の収納部として利用できる。
【００７５】
図５（Ｂ）に示す第３実施形態も第１実施形態の変形例であり、第１実施形態との相違点は、中間ユニット１５を設けていない側のサイドパネル６に、物を載置可能な台板２９を設けている点である。台板２９には、携帯電話やスマートフォン、筆記具、書類、メモ、時計など、小物を中心にして様々な物を載置できるし、肘当てとしても使用可能である。
【００７６】
台板２９は、サイドパネル６から内側に張り出した板状の形態になっている。従って、座１の上のうち肘当て２９の下方を荷物置き場に使用できる。図では省略しているが、台板２９を設けたサイドパネル６にも、遮蔽板９を設けている。
【００７７】
図６に示す第４実施形態では、サイドパネル６とバックパネル７との全周にわたって切り開き部８を形成して、遮蔽板９を全周にわたって形成している。遮蔽板９は、囲い枠４の全周にわたって連続しているが、例えば、（Ａ）に一点鎖線で示すように、サイドパネル６の後端寄り部位において３つに分離構成し、中間部は固定式として、左右の部分は昇降式又は着脱式とすることも可能である。
【００７８】
また、本実施形態では、左右のサイドパネル６は、小物載置台として使用できるような左右横幅を有しており、物の載置面をできるだけ広げるために、遮蔽板９は外側に寄せて配置している。中間ユニット１５は平面視長方形になっている。（Ｂ）（Ｃ）に示すレイアウトは、第１実施形態の図３（Ｂ）、図４（Ｂ）のレイアウトに対応したものである。この図６の実施形態でも、椅子ユニット５は手前に向けて広がった台形に形成されている。
【００７９】
なお、図６の実施形態では、横幅が大きい部分をサイドパネル６、バックパネル７として説明したが、サイドパネル６及びバックパネル７が、厚い下部と薄い上部とで構成されているということも可能である。つまり、サイドパネル及びバックパネルを、遮蔽板が含まれた概念として捉えるものであり、遮蔽板９も囲い機能を備えているので、遮蔽板９もサイドパネル６の一部として特定するのが適切であるとも云える。
【００８０】
上記の各実施形態は中間ユニット１５を備えていたが、図７に示す第５実施形態は中間ユニット１５を備えておらず、代わりに、一方のサイドパネル６を座１の手前に突出させたフロントパネル３０を構成し、フロントパネル３０にテーブル板１８を取り付けている。テーブル板１８は、矢印で示すように、フロントパネル３０に対して、前後動自在に取り付けることも可能であるし、水平旋回自在に取り付けることも可能である。
【００８１】
図では、左サイドパネル６にフロントパネル３０を設けた左使いになっているが、右サイドパネル６にフロントパネル３０を設けた右使いとすることも可能である。この実施形態も、様々なレイアウトを実現できる。なお、この実施形態では、サイドパネル６に台板２９を設けている。
【００８２】
本願発明の実施形態を何点か説明したが、本願発明は、上記の他にも様々に具体化できる。例えば、背もたれとバックパネルとの間に間隔を空けて、この部位を荷物置き場に使用することもできる。
【産業上の利用可能性】
【００８３】
本願発明は、実際に家具装置に具体化できる。従って、産業上利用できる。
【符号の説明】
【００８４】
１  座
２  背もたれ
４  囲い枠
５  椅子ユニット
６  サイドパネル
７  バックパネル
８  切り開き部
９，１６  遮蔽板
１１，１７  昇降操作用パネル
１５  中間ユニット
１６  遮蔽板
１８  テーブル板
【図１】
2020127751.tif 000003
【図２】
2020127751.tif 000004
【図３】
2020127751.tif 000005
【図４】
2020127751.tif 000006
【図５】
2020127751.tif 000007
【図６】
2020127751.tif 000008
【図７】
2020127751.tif 000009
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
座及び背もたれと、
前記背もたれの後ろに位置したバックパネルとその左右両端から前向きに延びる左右のサイド部とを有する囲い枠部と、
前記サイド部の内側部に配置された台板と、
前記サイド部のうち前記台板よりも前方の位置に取り付けられたテーブル板とを備えている、
家具装置。
【請求項２】
前記テーブル板は、前記サイド部に対して前後動可能または水平旋回可能に取付けられている、
請求項１に記載した家具装置。
【請求項３】
前記サイド部は、前記バックパネルと一連に繋がったサイドパネルで構成されており、前記テーブル板は、前記サイドパネルに対して前後動可能または水平旋回可能に取付けられている、
請求項１又は２に記載した家具装置。
【請求項４】
前記左右のサイド部のうち一方のサイド部に、前記テーブル板と台板とを取り付けている、
請求項1 〜３のうちのいずれかに記載した家具装置。
【請求項５】
前記背もたれは後傾動可能である、
請求項１〜４のうちのいずれかに記載した家具装置。
【請求項６】
前記囲い枠部は、前記座よりも高くて背もたれの上端よりは低い高さに設定されている、
請求項１〜５のうちのいずれかに記載した家具装置。
【手続補正２】
【補正対象書類名】明細書
【補正対象項目名】全文
【補正方法】変更
【補正の内容】
【発明の詳細な説明】
【技術分野】
【０００１】
本願発明は、家具装置に関するものである。
【背景技術】
【０００２】
従来、オフィスでの執務用家具としては一般に机と椅子がセットで使用されており、例えば、一人用又は複数人用の机を左右に並べて、多数人が一列に並んで執務を行うスタイルが多かった。机の列を背中合わせに配置することもよく行われている。これらの伝統的なワーキングスタイルでは、特定の人が特定の席を使用するという固定アドレス方式が一般的である。
【０００３】
しかし、近年、オフィスでのワーキングスタイルが大きく変貌しつつある。例えば、特定の席を持たずに、好きな席について仕事をするフリーアドレス方式（ノンテリトリアル方式）や、１人用に独立した席で執務するスタイル、或いは、複数人が使用できる席が固まっているグループワーキングスタイルなどである。
【０００４】
これらのワーキングスタイルの変化の背景の一つとして、作業ツールとしてのノートパソコンやタブレット端末などの情報機器の小型化がある。つまり、これらノートパソコンやタブレット端末は持ち運び自在であるため、特定の席で執務する必要性が無くなり、その結果、フリーアドレス方式が大きく進展している。
【０００５】
他の背景として、ワーカーの創作能力を引き出すための環境作りが進んだことが挙げられる。すなわち、ワーカーの創作能力を高めて知的生産性を上げるには、思索に集中できる環境やリラックスできる環境、或いは、同僚等と討議等して知的刺激を受けることが容易な環境が必要であり、そこで、席の独立化やグループ化が進展している。従って、作業の目的に応じて席を選択できるようにするのが好ましいと云える。
【０００６】
ワーカーの集中力やリラックス性との関係では、ワーカーを取り巻く環境のクローズド性とオープン性とのバランスが重要である。例えば、完全な個室であると、外からの刺激が薄れ過ぎて緊張感が無くなり、却って生産性が落ちてしまうことが多い。他方、広いフロアーに点在しているテーブルを使用して１人で執務する場合のように、過度にオープンな環境であると、他人の動きや会話で気が散ったり他人の視線が気になったりするため、思索に集中し難いのみならず、他人に遠慮してリラックスした姿勢（例えば背伸びや瞑想）も取りづらいと云える。
【０００７】
そこで、実際に提案されている家具（什器）に眼をやると、ソファを左右と後ろからパネルで囲ってクローズド性を高めた椅子ユニットとして、特許文献１，２がある。また、くつろぎつつノートパソコン操作のような作業を行えるようにソファにテーブル板を設けたものがあり、その例として、特許文献３には、座の下方に水平回動式のアームを設けて、アームの先端に立設した支柱にテーブル板を取り付けた構造が開示されている。
【先行技術文献】
【特許文献】
【０００８】
【特許文献１】特開２０１３−９４４０４号公報
【特許文献２】意匠登録第１４８２０２１号公報
【特許文献３】特開平１０−２１５９８０号公報
【発明の概要】
【発明が解決しようとする課題】
【０００９】
特許文献１，２は、椅子ユニットは手前だけに開口した状態になるため、クローズド性は高くなるが、執務用を目的にしたものではではなく、ノートパソコンの操作のような作業のためのテーブル板を備えていないため、オフィスに設置する執務用に転用することは難しいといえる。
【００１０】
他方、特許文献３は、ソファに腰掛けた人が普通の姿勢でテーブル板を使用できるため、作業の容易性という点では優れているが、オープン性が高すぎるため、これも、ワーカーが長時間に亙って作業を行う執務用には転用し難い。また、特許文献３では、アームが床面に沿って配置されているため、これが人の邪魔になるという厄介な問題もある。
【００１１】
つまり、椅子ユニットの単体として見た場合、クローズド性とオープン性、作業の容易性を考慮したものは見当たらないというのが現状である。
【００１２】
他方、机のような執務用家具は左右に並設することが多い。また、椅子についても、例えばパイプ椅子に見られるように左右に連結することは広く行われている。これら従来の家具の連結は、元々、使用者が同じ方向を向くということを前提にして行われており、従って、机にしても椅子にしても、左右に並んだものは同じ方向を向くように姿勢が揃えられている。
【００１３】
しかし、一人用の執務家具の場合、知的生産性を高めるという点から見ると、ある程度のプライバシー確保が必要であり、従って、何らかの遮蔽手段を設けるのが好ましい。この要請に対する１つの対応として、例えば特許文献３のようなテーブル板付きの椅子ユニットを同じ姿勢で左右に並べつつ、左右の椅子ユニットの間に衝立のような仕切りを設けることが考えられるが、左右に隣り合った人の間隔（距離）は変わらないため、単に仕切りを設けただけでは、知的労働に集中できる好ましい環境には至りにくいと云える。
【００１４】
本願発明はこのような現状に鑑み成されたものであり、知的生産性の向上に貢献し得る執務用家具を提供せんとするものである。
【課題を解決するための手段】
【００１５】
本願発明は家具装置に関し、各請求項で特定された構成を含んでいる。このうち請求項１の発明は、
「座及び背もたれと、
前記背もたれの後ろに位置したバックパネルとその左右両端から前向きに延びる左右のサイド部とを有する囲い枠部と、
前記サイド部の内側部に配置された台板と、
前記サイド部のうち前記台板よりも前方の位置に取り付けられたテーブル板とを備えている」
という構成になっている。
【００１６】
【００１７】
サイドパネル及びバックパネルとも、着座した人の全体が隠れる程度の高さに設定することができる。あまり高いと採光性が低下したり圧迫感が高くなったりするので、高くても、一般成人の身長程度の高さに設定しておくのが好ましいと云える。なお、囲い枠は座及び背もたれの支持用脚として機能させてもよいし、単なる囲い機能だけを持たせてもよい。
【００１８】
請求項２の発明は、請求項１において、
「前記テーブル板は、前記サイド部に対して前後動可能または水平旋回可能に取付けられている」
という構成になっている。
【００１９】
請求項３の発明は、請求項１又は２において、
「前記サイド部は、前記バックパネルと一連に繋がったサイドパネルで構成されており、前記テーブル板は、前記サイドパネルに対して前後動可能または水平旋回可能に取付けられている」
という構成になっている。
【００２０】
請求項４の発明は、請求項１〜３のうちのいずれかにおいて、
「前記左右のサイド部のうち一方のサイド部に、前記テーブル板と台板とを取り付けている」
という構成になっている。
請求項５の発明は、請求項１〜４のうちのいずれかにおいて、
「前記背もたれは後傾動可能である」
という構成になっている。
【００２１】
請求項６の発明は、請求項１〜５のうちのいずれかにおいて、
「前記囲い枠部は、前記座よりも高くて背もたれの上端よりは低い高さに設定されている」
という構成になっている。
【００２２】
【００２３】
【発明の効果】
【００２４】
本願発明では、着座した人は囲い枠部で三方から囲われるため、周囲から区画されたクローズド性を有しているが、人は、椅子ユニットの開口部に向けて腰掛けるため、オープン性も備えていて、同僚等が話しかけやすい状態になっている。従って、クローズド性とオープン性とが調和して、集中しつつ外からの刺激も受け得る環境になっている。これにより、知的生産性の向上に貢献できる。
【００２５】
【００２６】
【００２７】
【００２８】
【００２９】
【００３０】
【００３１】
本願発明では、テーブル板が常備されているため、テーブルを用意する手間は不要であり、従って、ユーザーフレンドリーであって、フリーアドレス方式のワーキングシステムにも好適である。
【００３２】
【００３３】
【００３４】
【００３５】
【００３６】
【００３７】
【００３８】
【図面の簡単な説明】
【００３９】
【図１】第１参考例を示す図で、（Ａ）は斜視図、（Ｂ）は平面図である。
【図２】（Ａ）はテーブル板の取り付け構造の例を示す斜視図、（Ｂ）は中間ユニットと椅子ユニットとの連結構造の一例を示す縦断側面図、（Ｃ）は遮蔽板の昇降ガイド構造を示す平断面図、（Ｂ）は遮蔽板を着脱式にした例の縦断正面図である。
【図３】各分図とも、複数の家具装置を左右に連結したレイアウト例を示す斜視図である。
【図４】図２に示したレイアウト例の平面図である。
【図５】（Ａ）は第２参考例の斜視図、（Ｂ）は第１実施形態の斜視図である。
【図６】第２実施形態を示す図で、（Ａ）は単体の斜視図、（Ｂ）は左右に連結した状態の斜視図、（Ｂ）は左右に連結した状態の平面図である。
【図７】第３実施形態の平面図である。
【発明を実施するための形態】
【００４０】
次に、本願発明の参考例と実施形態を図面に基づいて説明する。本願では、方向を特定するため前後・左右の文言を使用するが、この前後・左右の方向は、椅子ユニットに普通に腰掛けた人の向きを基準にしている。正面視は、着座した人と相対向した方向から見た状態である。
【００４１】
(1).第１参考例の構造
まず、図１〜４に示す第１参考例（基本態様）を説明する。まず、主として図１，２を参照して構造を説明する。図１（Ａ）に示すように、本参考例の家具装置は、座１と背もたれ２とヘッドレスト３を有しており、これらを左右と後ろとの三方から囲い枠４で囲うことにより、椅子ユニット５が構成されている。従って、囲い枠４は、座１の左右両側に配置されたサイドパネル６と、背もたれ２及びヘッドレスト３の後ろに位置したバックパネル７とから成っている。
【００４２】
左右のサイドパネル４は、手前に向けて間隔が広がるように、平面視ハ字の形態に配置されており、これに伴って、座１も手前に向けて横幅が広がるように平面視台形になっている。従って、椅子ユニット５は、平面視で手前に向けて広がった左右対称の台形状になっている。囲い枠４は、着座した人が横や後ろから見えない程度の高さになっている。また、サイドパネル６とバックパネル７とは一体に連続している。
【００４３】
座１は、例えば座板にクッション材を張った構造であり、左右のサイドパネル６に、ステー材やブラケットを介して取り付けられている。また、背もたれ２は、例えば背板にクッション材を張った構造であり、バックパネル７に取り付けられている。なお、背もたれ２がばね手段に抗して後傾するロッキング構造も採用可能である。この場合は、背もたれ２の後傾動に連動して座１を前進させることも可能である。
【００４４】
サイドパネル６及びバックパネル７は、木の単層板又は合板、或いは、ハニカム構造等の芯材の表裏に金属板を張った積層体など、様々な構造を採用できる。美粧のため、表面にクロスを張ることも可能である。
【００４５】
左右のサイドパネル６には、着座した人の肘程度の高さよりも上の部分を手前と上方に切除した状態の切り開き部８が形成されており、前記切り開き部８に、目隠し用の薄い遮蔽板（目隠し板）９を昇降可能に装着している。遮蔽板９は、例えば、乳白色のアクリル板のように、透光性はあるが不透明な樹脂板を採用できる。勿論、透光性のない金属板や樹脂板なども採用可能である。スクリーン状（膜状）の構造も採用可能である。
なお、遮蔽板９も囲い枠４を構成しており、遮蔽板９はサイドパネル６の一部として見るべきものであるので、正確には、サイドパネル６は、切り開き部８が形成されている部分とこれに取り付けられた遮蔽板９とから成っていると云える。
【００４６】
遮蔽板９は、サイドパネル６に対して昇降自在に装着することができる。この場合は、図２（Ｃ）に示すように、サイドパネル６の内部に、遮蔽板９の前端縁と後端縁とを上下スライド可能にガイドする樋状のガイド体１０を内蔵したらよい。遮蔽板９は、自動車のパワーウインドーと同様の機構により、モータで昇降させることもできるし、手動で昇降させることもできる。
【００４７】
遮蔽板９をモータで昇降させる場合はボタン（スイッチ）が必要になるが、ボタンは、図１（Ａ）に示すように、サイドパネル６に設けたパネル１１に設けることができる。身体の接触を防止したい場合は、切り開き部８の上面に設けてもよい。遮蔽板９を手動で昇降させる場合は、サイドパネル６の内側面に設けたハンドルの回転によって昇降させる構造や、摩擦に抗して引き上げたり押し下げたりする構成を採用できる。ガイド部にボールキャッチのような弾性的な係脱機構を設けて、ラッチ体を弾性に抗して係合部に係脱させて昇降させる構造も採用可能である。
【００４８】
遮蔽板９は、着脱式とすることも可能である。その例を図２（Ｄ）に示している。すなわち、この場合は、遮蔽板９はその下端縁が受け部材１２に固定されていて、受け部材１２に設けた足体１３を、サイドパネル６に設けた穴１４に着脱自在に嵌め入れている。足体１３は、板状であってもよいし棒状であってもよい。
【００４９】
椅子ユニット５における片方のサイドパネル６の手前に、中間ユニット１５が配置されている。つまり、椅子ユニット５と中間ユニット１５とで複合した家具装置が構成されている。中間ユニット１５は、サイドパネル６における切り開き部８の下面と同じ高さになっている。中間ユニット１５は、小物類や筆記具、書類などを載置できる程度のある程度の左右横幅を有しており、外側面が一方のサイドパネル６の外面と同一面を成すような状態で配置している。また、着座した人が手首を載せ得る高さになっている。従って、マウスの操作も可能である。
【００５０】
また、中間ユニット１５は、手前に向けて左右横幅が大きくなる平面視台形に形成されているが、外側面をサイドパネル６の外面と同一面状に成した状態で、内側面は平面視で座１の前端と直交するように設定している。従って、外面だけでサイドパネル６と同じ角度で傾斜した左右非対称の台形になっている。
中間ユニット１５を台形に形成すると、幅狭の部分が使用者の側に位置するようにして配置することにより、平面積をできるだけ確保しつつ、中間ユニットが使用者の邪魔になることを防止できる利点がある。
さて、テーブル板１８は長方形になっており、その一側面が中間ユニット１５の内側面と平行になるように配置すると見栄えが良いが、この場合、椅子ユニット５が台形に形成されていて中間ユニット１５が長方形又は正方形であると、テーブル板１８は、中間ユニット１８から離れるに従って座１から離れるように平面視で傾いた姿勢になってしまい、すると、見た目が悪くなると共にノートパソコン等の使用もしにくくなることが懸念される。
これに対して、参考例のように中間ユニット１５を台形に形成すると、椅子ユニット５が台形に形成されている場合、中間ユニット１５の外側面は椅子ユニット５におけるサイドパネル６と一直線に揃えつつ、中間ユニット１５の内側面は、平面視で座１の前面に対して直交した姿勢に揃えることができるため、テーブル板１８も、その前後端面を座１の前面と平行な姿勢に配置することができる。従って、見栄えを良くすることができると共に、ノートパソコンの操作のような作業も行いやすくなると云える。
【００５１】
中間ユニット１５にも、遮蔽板１６を昇降自在又は着脱自在に装着している。中間ユニット１５の遮蔽板１６は、サイドパネル６の遮蔽板９と平面視で一直線に延びるように配置しており、中間ユニット１５の上面のうち遮蔽板１６よりも内側は、例えば人がマウス操作をできる程度の左右横幅になっている。遮蔽板１６をモータで昇降させる場合は、図１（Ａ）に示すように、中間ユニット１５の上に操作パネル１７を設けたらよい。
【００５２】
中間ユニット１５には、少なくともノートパソコンを載置できる程度の大きさのテーブル板１４が取り付けられている。テーブル板１８の取り付け構造としては、図１（Ａ）に一点鎖線で示すように、中間ユニット１５の下端部に前後回動可能に取り付けられた支柱１９を使用することができる。
【００５３】
この場合、支柱１９の下端に、床面に当接し得る後ろ向き部１９ａを有しており、後ろ向き部１９ａの後端部が，中間ユニット１５に左右横長の回動軸によって回動可能に連結されている。支柱１９の上端には図示しないブラケットが固定されており、テーブル板１８はブラケットに固定されている。支柱１９は、連結部の摩擦に抗して回動することができるが、ロック装置を設けて、ボタン操作やレバー操作によってロックを解除してから回動させることも可能である。
【００５４】
図２（Ａ）では、他の取り付け構造を示している。すなわちこの例では、中間ユニット１５の内側面に、水平状のレール２０を介してスライドブラケット２１を前後スライド可能に装着して、スライドブラケット２１にテーブル板１８を固定している。テーブル板１８は、スライドブラケット２１に対して前後回動可能に取り付けることも可能である。
【００５５】
中間ユニット１５は、サイドパネル６の前端部に連結されている。この連結構造の例を図２（Ｂ）に示している。すなわちこの例では、Ｈ形の連結具２２を利用しており、サイドパネル６の前端に設けた前板２３に後ろ係合穴２４を形成して、この後ろ係合穴２４に連結具２２の後部係合爪２２ａを落とし込み係合させる一方、中間ユニット１５の後面板１５ａに前係合穴２５を形成して、この前係合穴２５の部位を、連結具２２の前係合爪２２ｂに上から嵌め込み係合させている。連結具２２は上下に複数化個所設けている。
【００５６】
Ｈ形の連結具２２を使用することに代えて、中間ユニット１５の後面に下向き鉤状の係合爪を上下複数個設けて、これを、サイドパネル６の前端に形成した係合穴に嵌め込むことも可能である。或いは、中間ユニット１５の後面とサイドパネル６の内側面とに重なる平面視Ｌ形のジョイント金具を用意して、このジョイント金具を両者にねじ止めするといったことも可能である。
【００５７】
(2).レイアウトの態様・まとめ
上記の家具装置は、左右に並設して家具装置を構成することができる。そのレイアウト例を、図３，４で示している。図３（Ａ）及び図４（Ａ）に示す第１レイアウト例では、複数の家具装置を、開口方向を前後に変えて左右に並設している。中間ユニット１５は右サイドパネル６に連結しており、隣り合った椅子ユニット５の左サイドパネル６と中間ユニット１５とが、互いに左右に重なっている。この場合、左右に重なったサイドパネル６と中間ユニット１５は連結してもよいし、単に重ねただけであってもよい。
【００５８】
また、この第１レイアウト例では、右サイドパネル６に中間ユニット１５を連結した右使いタイプの椅子ユニット５と、左サイドパネル６に中間ユニット１５を連結した左使いタイプの椅子ユニット５とが、左右に交互に並んでいる。この第１レイアウト例では、家具装置の奥行き寸法は小さくなっている。従って、前後方向のスペースに余裕がない場合や、オープン性を重視したい場合には好適である。
【００５９】
図３（Ｂ）及び図４（Ｂ）に示す第２レイアウト例では、椅子ユニット５を、その開口方向を前後に交互に変えて左右に併設している点は第１レイアウト例と共通しているが、第１レイアウトとは異なって、隣り合った椅子ユニット５におけるサイドパネル６の端面間に中間ユニット１５が配置されている。
【００６０】
従って、家具装置の奥行きが大きくなっており、左右の両端の椅子ユニット５を除いて、中間部に位置した椅子ユニット５では、使用者の前方に、隣り合った２つの家具装置で囲われた通路状の大きな空間２６が空いている。また、隣り合った人の間隔は、第１レイアウト例の場合よりも広がっている。このため、椅子ユニット５のクローズド性、プライバシー確保機能が高くなっている。室のスペースに余裕がある場合や、ワーカーに一層集中しやすい環境を提供したい場合に好適である。
【００６１】
第１レイアウト例と第２レイアウト例との中間的なレイアウト例として、中間ユニット１５とサイドパネル６とを前後にずらして重ねるということも可能である。すなわち、中間ユニット１５の前後中途部にサイドパネル６の前端部が位置するようにして、左右の椅子ユニット５を配置することも可能である。
【００６２】
図３（Ｃ）及び図４（Ｃ）に示す第３レイアウト例では、同じ方向に開口する姿勢に配置した２つの椅子ユニット５と、前後逆向きに開口するように配置した椅子ユニット５とを組み合わせている。従って、同じ方向に対向した２つの家具装置を１セットとして、隣り合ったセットが互いに逆方向に開口している。
【００６３】
同じ方向に開口した左右２つの椅子ユニット５では、サイドパネル６と中間ユニット１５とが互いに重なっているが、これらは連結具等で連結してもよいし、単に重ねただけでもよい。また、隣り合って逆方向に開口した椅子ユニット５は、互いのサイドパネル６の前端面が当接しているが、これらについても、連結してもよいし、単に当接させただけでもよい。
【００６４】
椅子ユニット５（家具装置）は平面視台形に形成されているため、２つの椅子ユニット５を同じ方向に開口させて左右に並設しても、人が向く方向が平行でなくて互いに広がっている。このため、距離感が広がっている。また、同じ方向に開口した姿勢で左右に並設されていても、中間ユニット１５に設けた遮蔽板９によって各人のエリアが区画されているため、隣の人に気をとられることなく仕事に集中できる。また、遮蔽板９を下降させることにより、コミュニケーションを取りやすくできるという利点もある。
【００６５】
座１の前端の左右横幅（或いは、左右サントパネル６の前端間の間隔）は、通常の椅子の座の１．５倍程度に設定している。そして、テーブル板１８は家具装置の左又は右の片側に寄せているため、テーブル板１８の横に人が出入りできる空間が空くが、椅子ユニット４が台形に形成されていてサイドパネル６が手前に向かって外側にずれているため、出入りのための空間を大きくして、着座・離席が容易になる。
また、図３（Ａ）（Ｂ）及び図４（Ａ）（Ｂ）のように、多数の複数の家具装置をジグザグ状に配置すると、中間部の家具装置の手前に左右の椅子ユニット４で挟まれた通路状の空間２６が空くが、椅子ユニット６が台形状であることにより、空間２６は手間に向けて間隔が広がるため、中間部に位置した椅子ユニット４が奥まった状態になっていても、椅子ユニット４への出入りを楽に行えるという利点がある。
【００６６】
さて、例えば、通常の一人用椅子は、使用者の最大横幅と同じ程度の左右横幅である。従って、左右のサイドパネルを備えた状態でテーブル板を設けていると、テーブル板を跳ね上げないと人は着座・離席することができない。しかし、これでは手間であり、長時間にわたって使い続ける執務用家具としては不適である。
【００６７】
これに対して本参考例では、座１は、通常の椅子の１．５倍程度の横幅があるため、テーブル板１８を右か左に寄せておくことにより、テーブル板１８の横に人が出入りできる空間を空けることができる。また、座１のテーブル板１８との間には、人が足を差し込みできる程度の間隔が空いている。従って、テーブル板１８を跳ね上げ式にしなくても、人は容易に着座・離席することができる。従って、テーブル板１８にノートパソコン等の物品を載せたままで、席を立ったり座ったりすることができる。このため、使い勝手が非常によくて、執務用の家具としても好適である。
【００６８】
しかも、本参考例のように椅子ユニット５を平面視台形に形成すると、座１の上の空間が前広がりになるため、人は着座に際して身体を滑り込ませやすいと共に、離席に際しては身体を離しやすくなる。従って、着座・離席の容易性は一層高くなる。また、視覚面（心理面）からも、着座・離席が容易で使いやすい椅子部という印象も強い。なお、サイドパネル６は座１の手前に突出させることも可能であるが、この場合は、平面視台形に形成することによる着座・離席の容易性は一層顕著に表れると云える。
【００６９】
以上のように、参考例の椅子ユニット５は、その複数個を様々なレイアウトで配置して様々な形態の家具装置を形成できるため、各種の条件を考慮して最適なレイアウトを実現できる。また、椅子ユニット５（家具装置）の単体で見ても、例えば、全体として使用者の前方に向けて左右間隔が広がっているため、圧迫感がなくて作業を行いやすいと云える。また、中間ユニット１５の内側面は座１の前端に対して平面視で直交しているため、中間ユニット１５に使用者の足が当たることを防止できて、使い勝手がよい。また、長方形や正方形のテーブル板１８を、その前後縁が座１の前端と平行な姿勢に揃えることができるため、見た目もよい。
【００７０】
なお、明るい環境を望む場合は、オプション品として灯具を配置したらよい。この場合、灯具は、中間ユニット１５の上面に載置したり、遮蔽板９，１６に固定したりすることができる。遮蔽板９の上部等に有機ＥＬ板を配置して、面発光式の灯具を遮蔽板９，１６に一体的に設けることも可能である。
【００７１】
図示していないが、中間ユニット１５などに、電源用のコンセントや、携帯電話やスマートフォンやタブレット端末用の充電用ＵＳＢポート、或いは、ＬＡＮポートなどを設けることが可能である。更に、サイドパネル４，５の上面やバックパネル７、或いはテーブル板１８に、無線送電機を内蔵することも可能である。
【００７２】
電源用コンセントなどは、例えば、中間ユニット１５の上面や前後両面に前後対称に設けることも可能である。すると、例えば、２つの家具装置を向かい合わせに配置するにおいて、前後の家具装置の間に１台の中間ユニット１５を配置しても、向かい合った人がそれぞれ１つの中間ユニット１５から電源等をとることができる。すなわち、１つの中間ユニット１５を、対向した人への給電手段として兼用できる。
【００７３】
中間ユニット１５の左右側面にそれぞれコンセント等の給電手段を設けると、図４（Ｂ）のように、２つの家具を逆向きの姿勢としつつ対向させずに左右にずらして配置した場合、２つの家具の間に１つだけ中間ユニット１５を配置しても、２つの家具において１つの中間ユニット１５を給電等の手段として共用することができる。
【００７４】
(3).他の参考例及び実施形態
次に、図５以下に示す他の参考例及び実施形態を説明する。第１参考例と同じ要素には同じ符号を付して、説明は省略している。図５（Ａ）では第２参考例を示している。この第２参考例は、基本的には第１参考例と同様であり、第１参考例との相違点は、中間ユニット１５を内側に開口した袋構造に構成して、中間ユニット１５の天板の下面にブラケット２８を前後自在に装着して、ブラケット２８にテーブル板１８を固定している点である。この参考例では，中間ユニット１５の内部を荷物の収納部として利用できる。
【００７５】
図５（Ｂ）に示す第１実施形態は第１参考例の変形例と云えるものであり、第１参考例との相違点は、中間ユニット１５を設けていない側のサイドパネル６に、物を載置可能な台板２９を設けている点である。台板２９には、携帯電話やスマートフォン、筆記具、書類、メモ、時計など、小物を中心にして様々な物を載置できるし、肘当てとしても使用可能である。
【００７６】
台板２９は、サイドパネル６から内側に張り出した板状の形態になっている。従って、座１の上のうち肘当て２９の下方を荷物置き場に使用できる。図では省略しているが、台板２９を設けたサイドパネル６にも、遮蔽板９を設けている。
【００７７】
図６に示す第２実施形態では、サイドパネル６とバックパネル７との全周にわたって切り開き部８を形成して、遮蔽板９を全周にわたって形成している。遮蔽板９は、囲い枠４の全周にわたって連続しているが、例えば、（Ａ）に一点鎖線で示すように、サイドパネル６の後端寄り部位において３つに分離構成し、中間部は固定式として、左右の部分は昇降式又は着脱式とすることも可能である。
【００７８】
また、本実施形態では、左右のサイドパネル６は、小物載置台として使用できるような左右横幅を有しており、物の載置面をできるだけ広げるために、遮蔽板９は外側に寄せて配置している。中間ユニット１５は平面視長方形になっている。（Ｂ）（Ｃ）に示すレイアウトは、第１実施形態の図３（Ｂ）、図４（Ｂ）のレイアウトに対応したものである。この図６の実施形態でも、椅子ユニット５は手前に向けて広がった台形に形成されている。
【００７９】
なお、図６の実施形態では、横幅が大きい部分をサイドパネル６、バックパネル７として説明したが、サイドパネル６及びバックパネル７が、厚い下部と薄い上部とで構成されているということも可能である。つまり、サイドパネル及びバックパネルを、遮蔽板が含まれた概念として捉えるものであり、遮蔽板９も囲い機能を備えているので、遮蔽板９もサイドパネル６の一部として特定するのが適切であると云える。そして、本実施形態では、サイドパネル６のうち下部の厚さを厚くすることにより、その上面を台板（小物載置台）と成している。
【００８０】
上記の各実施形態は中間ユニット１５を備えていたが、図７に示す第３実施形態は中間ユニット１５を備えておらず、代わりに、一方のサイドパネル６を座１の手前に突出させたフロント部３０を形成し、フロント部３０にテーブル板１８を取り付けている。従って、この実施形態では家具装置は椅子ユニット５のみで構成されており、サイドパネル６でサイド部が構成されている。テーブル板１８は、矢印で示すように、フロント部３０に対して、前後動自在に取り付けることも可能であるし、水平旋回自在に取り付けることも可能である。
【００８１】
図では、左サイドパネル６のフロント部３０にテーブル板１８を設けた左使いになっているが、右サイドパネル６のフロント部３０にテーブル板１８を設けた右使いとすることも可能である。この実施形態も、様々なレイアウトを実現できる。なお、この実施形態では、左右のサイドパネル６に台板２９を設けている。
【００８２】
本願発明の実施形態を何点か説明したが、本願発明は、上記の他にも様々に具体化できる。例えば、背もたれとバックパネルとの間に間隔を空けて、この部位を荷物置き場に使用することもできる。
【産業上の利用可能性】
【００８３】
本願発明は、実際に家具装置に具体化できる。従って、産業上利用できる。
【符号の説明】
【００８４】
１  座
２  背もたれ
４  囲い枠
５  家具装置を構成する椅子ユニット
６  サイドパネル
７  バックパネル
８  切り開き部
９，１６  遮蔽板
１１，１７  昇降操作用パネル
１５  家具装置を構成する中間ユニット
１６  遮蔽板
１８  テーブル板
２９  台板
【手続補正３】
【補正対象書類名】図面
【補正対象項目名】図３
【補正方法】変更
【補正の内容】
【図３】
2020127751.tif 000010
【手続補正４】
【補正対象書類名】図面
【補正対象項目名】図７
【補正方法】変更
【補正の内容】
【図７】
2020127751.tif 000011